(57)【要約】【課題】変圧器タンクの底板に取り付けた二次ブッシングを接続導体とヒューズとを介して二次ケーブルに接続するようにした地上設置用変圧器装置において、変圧器タンクの下方の機器収容空間にヒューズを含む二次側機器をコンパクトに収容できるようにする。【解決手段】変圧器タンク２０１の底板２ｆに取り付けた二次ブッシングのそれぞれの端子に後端部を接続した接続導体７u〜７w，７a1，７b1，７a2，７b2，７a3，７b3を変圧器タンクの底板の下方に配置し、変圧器タンクの前面側に位置させたこれらの接続導体の先端部にヒューズ接続部７Ａを設ける。各接続導体７a1の下方に配置した接続金具１０にヒューズ接続部７Ａと対をなすヒューズ接続部１０Ａとケーブル接続部１０Ｂとを設ける。対をなすヒューズ接続部７Ａとヒューズ接続部１０Ａとの間にヒューズ１５を接続し、ケーブル接続部１０Ｂに二次ケーブル９の端末部を構成する端子金具９ａを接続する。【選択図】    図１
2005286012.tif 000002
【特許請求の範囲】
【請求項１】
前面に開放可能な開口部を有する外箱と、底板に複数の二次ブッシングが取り付けられた変圧器タンクと該変圧器タンク内に収納されて複数の二次側端子がそれぞれ前記二次ブッシングに接続された変圧器本体とを有して前記変圧器タンクの底板の下方に機器収容空間を確保した状態で前記外箱内に配置された変圧器とを備え、前記複数の二次ブッシングがそれぞれ地下から立ち上げられた複数の二次ケーブルの端末部に電気的に接続される地上設置用変圧器装置において、
前記複数の二次ブッシングにそれぞれ対応する複数の接続導体が前記変圧器タンクの底板の下方の機器収容空間に配置されて、該複数の接続導体の後端部が対応する二次ブッシングの端子部に接続され、
前記複数の接続導体は、対応する二次ブッシングから前記外箱の前面側開口部の手前の位置まで延びるように設けられて、前記複数の接続導体の先端部が前記外箱の前面側開口部に臨む位置に横方向に並べて配置され、
前記複数の接続導体の内、前記二次ケーブルにヒューズを介して接続する必要がある二次ブッシングに対応する接続導体の先端部に第１のヒューズ接続部が設けられ、
前記第１のヒューズ接続部が設けられた各接続導体に対応する接続金具が設けられて、各接続金具が対応する接続導体の先端部の下方に配置され、
前記各接続金具は、対応する接続導体に設けられた第１のヒューズ接続部と対をなす第２のヒューズ接続部と、二次ケーブルの端末部が接続されるケーブル接続部とを有して、該第２のヒューズ接続部を対応する第１のヒューズ接続部の下方に位置させ、かつ前記ケーブル接続部を第２のヒューズ接続部よりも前記機器収容空間の奥側に位置させた状態で配置され、
各対をなす第１のヒューズ接続部及び第２のヒューズ接続部にそれぞれヒューズの一端及び他端が接続されること、
を特徴とする地上設置用変圧器装置。
【請求項２】
前記複数の接続導体の内、二次ケーブルにヒューズを介することなく接続される接続導体は、その先端部から折れ曲がって下方に延びる折り曲げ部を一体に有していて、該折り曲げ部に直接二次ケーブルが接続される請求項１に記載の地上設置用変圧器装置。
【請求項３】
前記二次ケーブルにヒューズを介して接続される二次ブッシングに対応する各接続導体は、板面を水平方向に沿わせた状態で前記変圧器タンクの底板の下方に配置された帯板状導体からなっていて、該帯板状導体の先端部の幅方向の一端側から下方に延びるように設けられた板状の導電部材により前記第１のヒューズ接続部が形成され、
各接続金具のケーブル接続部は長手方向を上下方向に向けた帯板状の導電部材からなっていてその板面を機器収容空間の奥行き方向に向けた状態で配置され、
各接続金具の第２のヒューズ接続部は、各接続金具のケーブル接続部の幅方向の一端から対応する第１のヒューズ接続部の下方に突出した板状の突出部からなっていて、その板面を対応する第１のヒューズ接続部の板面と同方向に向けた状態で設けられ、
前記各接続金具のケーブル接続部は、前記外箱に対して固定されたフレームに絶縁物を介して支持されると共に、その上端が絶縁スぺーサを介して対応する接続導体の先端部に締結されていること、
を特徴とする請求項１または２に記載の地上設置用変圧器装置。
【発明の詳細な説明】
【技術分野】
【０００１】
本発明は、歩道上等に設置される地上設置用変圧器装置に関するものである。
【背景技術】
【０００２】
地上設置用変圧器装置は、開放可能な開口部を前面側に有する外箱と、一次ブッシング及び二次ブッシングが取り付けられた変圧器タンクと該変圧器タンク内に収容されて一次端子及び二次端子がそれぞれ一次ブッシング及び二次ブッシングに接続された変圧器本体とを備えて上記外箱内に配置された変圧器と、一次ケーブルと変圧器の一次側との間に配置される開閉器やヒューズなどの一次側付属機器と、二次ケーブル（負荷ケーブル）と変圧器の二次ブッシングとの間に設けられる二次側付属機器とにより構成される。
【０００３】
外箱の下方には地下溝が形成され、地下溝から外箱内に立ち上げられた一次ケーブルが一次側付属機器を介して変圧器の一次ブッシングに接続される。また地下溝から外箱内に立ち上げられた二次ケーブルが二次側付属機器を介して変圧器の二次ブッシングに接続される。この種の変圧器装置は、例えば、特許文献１や特許文献２に記載されている。この種の変圧器装置は、歩道上等に設置されるため、できるだけ小形に構成することが必要とされ、また負荷需要の増大に対処するために、変圧器の容量をできるだけ大きくすることが必要とされる。
【０００４】
従来一般的に用いられていた地上設置用変圧器装置は、変圧器タンクの左右側面の上部に一次ブッシング及び二次ブッシングを取り付けるか、または変圧器タンクの左側面及び前面の上部にそれぞれ一次ブッシング及び二次ブッシングを取り付けるようにしていた。そのため、変圧器タンクに放熱器を取り付ける場合に、その取り付けスペースが少なくなり、変圧器の容量の増大を図る上で限界があった。
【０００５】
そこで、特許文献３に示されているように、二次ブッシングを変圧器タンクの底板に取り付けることにより、放熱器を取り付けるスペースを増やすことができるようにした地上設置用変圧器が提案された。特許文献３に示された変圧器装置においては、変圧器タンクの底板に、二次ブッシングよりも変圧器タンクの前面側に寄せた状態で漏電遮断器が取り付けられ、二次ブッシングと漏電遮断器との間が接続導体を介して接続されている。また変圧器タンクの底板には、変圧器タンクの前面に寄せた状態で、分岐導体が絶縁支持物を介して支持され、該分岐導体が漏電遮断器を介して二次ブッシングにつながる接続導体に接続されている。各分岐導体には、外箱の下方に構築された地下溝から立ち上げられた二次ケーブルの端末部が接続されている。
【特許文献１】特開平３−８２１０７号公報
【特許文献２】特開平９−２８２９８５号公報
【特許文献３】特開２００４−３９８２４号公報
【発明の開示】
【発明が解決しようとする課題】
【０００６】
特許文献３に示されているように構成すると、変圧器タンクの左右側面のうちの一方と、変圧器タンクの前面及び背面とにそれぞれ放熱器を取り付けることができるため、放熱器を取り付けるためのスペースを拡大して、変圧器の冷却効率を高めるための設計を容易にすることができ、変圧器の大形化を招くことなくその容量の増大を図ることができる。また変圧器タンクの左右側面のうちの一方と、前面及び背面との３つの面のすべてに放熱器を取り付ける必要がない場合には、二次側付属機器を変圧器タンクの下方に配置する構成をとることにより、変圧器の外箱の奥行き寸法または幅寸法の縮小を図ることができるため、地上設置用変圧器の設置面積の縮小を図ることができる。
【０００７】
変圧器の二次ブッシングを漏電遮断器を介して二次ケーブルに接続する場合には、特許文献３に示された構成をとることにより、変圧器タンクの下方の機器収容空間に二次側付属機器をコンパクトに収めることができる。
【０００８】
しかしながら、二次側の保護機器として漏電遮断器の代わりにヒューズを用いる場合に特許文献３に記載された構成をそのまま採用すると、以下に示すような不具合が生じる。  即ち、特許文献３に示された変圧器装置において、漏電遮断器をヒューズで置き換えると、二次ケーブルを接続する分岐導体の裏にヒューズが隠れてしまうため、ヒューズが溶断した場合にその溶断表示を目視することができないという問題が生じる。
またヒューズが分岐導体の裏に隠れるため、溶断した電力ヒューズを交換する際に二次ケーブル及び分岐導体を外すことが必要になり、その交換作業が非常に面倒になるのを避けられない。
【０００９】
上記の問題を解決するために、二次ケーブルを接続する分岐導体と電力ヒューズとを横方向に位置をずらして配置することが考えられるが、このように構成すると、変圧器タンクの下方の限られた機器収容スペースに配置することができる二次ケーブルの数が制限されるため、負荷側の回線の増大を図ることか必要とされる場合にその要請に応えることができなくなる。
【００１０】
また二次ブッシングと漏電遮断器とを上下に並べて配置している特許文献１に示された構成を真似て、二次ブッシングと、ヒューズと、二次ケーブルを接続する導体とを上下に並べて配置することも考えられるが、このように構成した場合には、変圧器タンクの下方に確保する必要がある機器収容スペースの高さが高くなるため、変圧器装置全体の高さが高くなってしまい、可能な限り装置の小形化を図るという要請に応えることができなくなる。
【００１１】
本発明の目的は、変圧器タンクの下方に確保した機器収容空間に、ヒューズ及び二次ケーブルを含む二次側付属機器を配置する場合に、ヒューズを最前部に配置した状態で二次側付属機器をコンパクトに配置することができるようにして、ヒューズの交換作業に支障を来したり、変圧器タンクの下方の機器収容空間の高さ寸法が大きくなったり、また二次側の回線数が制限されたりするといった問題が生じないようにすることにある。
【課題を解決するための手段】
【００１２】
本発明は、前面に開放可能な開口部を有する外箱と、底板に複数の二次ブッシングが取り付けられた変圧器タンクと該変圧器タンク内に収納されて複数の二次側端子がそれぞれ二次ブッシングに接続された変圧器本体とを有して変圧器タンクの底板の下方に機器収容空間を確保した状態で外箱内に配置された変圧器とを備えて、複数の二次ブッシングがそれぞれ地下から立ち上げられた複数の二次ケーブルの端末部に電気的に接続される地上設置用変圧器装置を対象とする。
【００１３】
本発明においては、複数の二次ブッシングにそれぞれ対応する複数の接続導体が変圧器タンクの底板の下方の機器収容空間に配置されて、該複数の接続導体の後端部が対応する二次ブッシングの端子部に接続される。
複数の接続導体は、対応する二次ブッシングから外箱の前面側開口部の手前の位置まで延びるように設けられて、複数の接続導体の先端部が外箱の前面側開口部に臨む位置に横方向に並べて配置され、複数の接続導体の内、二次ケーブルにヒューズを介して接続する必要がある二次ブッシングに対応する接続導体の先端部に第１のヒューズ接続部が設けられる。
また第１のヒューズ接続部が設けられた各接続導体に対応する接続金具が設けられて、各接続金具が対応する接続導体の先端部の下方に配置される。
上記各接続金具は、対応する接続導体に設けられた第１のヒューズ接続部と対をなす第２のヒューズ接続部と、二次ケーブルの端末部が接続されるケーブル接続部とを有していて、該第２のヒューズ接続部を対応する第１のヒューズ接続部の下方に位置させ、かつケーブル接続部を第２のヒューズ接続部よりも機器収容空間の奥側に位置させた状態で配置されている。
そして、各接続金具のケーブル接続部に二次ケーブルの端末部が接続され、各対をなす第１のヒューズ接続部及び第２のヒューズ接続部にそれぞれヒューズの一端及び他端が接続される。
【００１４】
上記のように構成すると、接続導体と接続金具とヒューズとがヒューズを最前部に位置させた状態で機器収容空間の奥行き方向に並べて配置されるため、機器収容空間の高さ寸法を拡大することなく、ヒューズを含む二次側付属機器を変圧器タンクの下方にコンパクトに配置することができる。またヒューズが最前部に配置されるため、その溶断表示の目視を容易にすることができ、ヒューズが溶断した場合にはその交換作業を容易にすることができる。更に、ヒューズを最前部に配置して、各接続金具のヒューズ接続部とケーブル接続部とを横方向に位置をずらすことなく、前後に並べて配置することができるようにしたため、各ヒューズ及び二次ケーブルの端末部が占めるスペースが拡大されるのを防ぐことができ、ヒューズを設けたことにより二次側回路の回線数が制限されるのを防ぐことができる。
【００１５】
変圧器タンクの底板に取り付けられた複数の二次ブッシングにそれぞれ後端部が接続された複数の接続導体の内、二次ケーブルにヒューズを介することなく接続される接続導体の先端部側は、負荷ケーブルの端末部に直接接続されるようになっていればよい。
【００１６】
本発明の好ましい態様では、二次ケーブルにヒューズを介することなく接続される接続導体が、その先端部から折れ曲がって下方に延びる折り曲げ部を一体に有していて、該折り曲げ部に直接二次ケーブルが接続される。即ち、該折り曲げ部が二次ケーブルを接続するケーブル接続部として用いられる。
【００１７】
本発明の好ましい態様では、二次ケーブルにヒューズを介して接続される二次ブッシングに対応する各接続導体が、板面を水平方向に沿わせた状態で前記変圧器タンクの底板の下方に配置された帯板状導体からなっていて、該帯板状導体の先端部の幅方向の一端側から下方に延びるように設けられた板状の導電部材により第１のヒューズ接続部が構成される。また各接続金具のケーブル接続部は、長手方向を上下方向に向けた帯板状の導電部材からなっていてその板面を機器収容空間の奥行き方向に向けた状態で配置されている。更に各接続金具の第２のヒューズ接続部は、各接続金具のケーブル接続部の幅方向の一端から対応する第１のヒューズ接続部の下方に突出した板状の突出部からなっていて、その板面を対応する第１のヒューズ接続部の板面と同方向に向けた状態で設けられている。そして、各接続金具のケーブル接続部が、外箱に対して固定されたフレームに絶縁物を介して支持されると共に、その上端が絶縁スぺーサを介して対応する接続導体の先端部に締結されている。
【００１８】
上記のように、各接続金具のケーブル接続部を外箱に対して固定されたフレームに絶縁物を介して支持すると共に、その上端を対応する接続導体に絶縁物を介して締結する構造にすると、各接続金具を機械的に強固に支持することができるため、各二次ケーブルの端末部を安定に支持することができる。
【発明の効果】
【００１９】
以上のように、本発明によれば、接続導体と接続金具とヒューズとがヒューズを最前部に位置させた状態で機器収容空間の奥行き方向に並べて配置されるようにしたため、機器収容空間の高さ寸法を拡大することなく、ヒューズを含む二次側付属機器を変圧器タンクの下方にコンパクトに配置することができる。
【００２０】
また本発明によれば、ヒューズが最前部に配置されるようにしたため、その溶断表示の目視を容易にすることができ、ヒューズが溶断した場合にはその交換作業を容易にすることができる。
【００２１】
更に、本発明によれば、ヒューズを最前部に配置して、各接続金具のヒューズ接続部とケーブル接続部とを横方向に位置をずらすことなく、前後に並べて配置することができるようにしたため、各ヒューズ及び二次ケーブルの端末部が占有するスペースが拡大されるのを防いで、ヒューズを設けたことにより二次側回路の回線数が制限されるのを防ぐことができる。
【発明を実施するための最良の形態】
【００２２】
以下図面を参照して本発明の好ましい実施形態を詳細に説明する。図１ないし図５は、本発明に係わる地上設置用変圧器の一構成例を示したもので、図１は外箱の前面の板を外してその内部の構造を概略的に示した正面図、図２は変圧器タンクの下方に形成された機器収容空間に配置される二次側付属機器の構成をヒューズを外した状態で示した正面図、図３は変圧器タンクの底面図、図４は図１のＩＶ−ＩＶ線断面図、図５は図１のＶ−Ｖ線断面図である。
【００２３】
図１ないし図５において、１は、直方体状に構成された外箱で、この外箱は、ベースフレーム１ａと、左右の側面板１ｂ及び１ｃと、天井板１ｄと、前面板１ｅ及び背面板１ｆ（図４及び図５参照）とにより構成されている。また２は外箱内に収容された変圧器で、
変圧器２は、前面側の側板２ａ、背面側の側板２ｂ、左右の側板２ｃ，２ｄ、天井板２ｅ及び底板２ｆによりほぼ直方体状に形成された変圧器タンク２０１と、変圧器タンク２０１内に絶縁油と共に収容された変圧器本体（図示せず。）及び一次側ヒューズ３７ｕ〜３７ｗとにより構成されている。変圧器２は、変圧器タンク２０１の前面側の側板２ａを外箱１の外箱の前面板１ｅに対向させた状態で、かつ変圧器タンク２０１の底板２ｆの下方に機器収容空間３を確保した状態で外箱１内に配置されて、変圧器タンクの四隅にそれぞれ配置された支持脚４（図１参照）を介して外箱のベースフレーム１ａの上に支持されている。
【００２４】
外箱１の前面板１ｅは、外箱の前面側の開口部の上端から下端寄りの部分に至るように設けられて変圧器タンク２０１の前面を覆う第１の板部１e1と、この第１の板部の下端から外箱の前面側開口部の下端に至るように設けられて機器収容空間３を覆う第２の板部１e2とからなっている。前面板１eは取り外すことができるようになっており、この前面板を取り外すことにより、図１に示すように外箱１の前面側開口部を開放させることができるようになっている。
【００２５】
変圧器タンク２０１内の一次側ヒューズ３７ｕないし３７ｗの上方に３相の一次ブッシング５ｕ〜５ｗが変圧器タンクの奥行き方向に並べて取り付けられている。また底板２ｆには、３相の二次ブッシング６ｕ〜６ｗと、第１ないし第３の単相３線出力用二次ブッシング６a1，６n1，６b1ないし６a3，６n3，６b3とが取り付けられている。３相二次ブッシング６ｕ〜６ｗ、第１の単相３線出力用ブッシング６a1，６n1，６b1、第２の単相３線出力用ブッシング６a2，６n2，６b2及び第３の単相３線出力用ブッシング６a3，６n3，６b3はそれぞれ、変圧器タンクの幅方向に対して傾斜した方向に延びる４本の平行線に沿って斜めに並ぶように配置されていて、各二次ブッシングは変圧器タンク内に収容された変圧器本体の所定の二次側端子に接続されている。第１ないし第３の単相３線出力用二次ブッシング６a1，６n1，６b1ないし６a3，６n3，６b3の内、６n1ないし６n3は、それぞれの端子部（貫通導体）が単相３線式の結線がなされた変圧器二次巻線の中性点に接続されたブッシングであり、これらのブッシング６n1ないし６n3の端子は、ヒューズを介することなく二次ケーブルに接続される。その他の二次ブッシングの端子は、すべてヒューズを介して二次ケーブルに接続される。
【００２６】
３相二次ブッシング６ｕ〜６ｗの端子には、板面を水平方向に沿わせた状態で変圧器タンクの底板の下方に配置された帯板状導体からなる接続導体７ｕ〜７ｗの後端部が接続され、単相３線出力用のブッシング６a1，６b1ないし６a3，６b3の端子には、同じく板面を水平方向に沿わせた状態で変圧器タンクの底板の下方に配置された帯板状導体からなる接続導体７a1，７b1ないし７a3，７b3の後端部が接続されている。中性点を構成する二次ブッシング６n1ないし６n3の端子には、他の接続導体を構成する帯板状導体よりも幅が広い帯板状導体からなる接続導体７n1ないし７n3の後端部寄りの部分が接続され、これらの接続導体７n1ないし７n3の後端部間は、帯板状導体からなる接続導体８を介して相互に接続されている。
【００２７】
接続導体（７ｕ〜７ｗ）及び（７a1，７n1，７b1）ないし（７a3，７n3，７b3）は、それぞれが接続された対応する二次ブッシング（６ｕ〜６ｗ）及び（６a1，６n1，６b1）ないし（６a3，６n3，６b3）から変圧器タンクの奥行き方向（機器収容空間３の奥行き方向）に沿って互いに平行に延びて外箱の前面側開口部の手前の位置に達するように設けられていて、一連の接続導体の先端部が外箱１の前面側開口部に臨む位置に横方向に並べて配置されている。
【００２８】
図２に見られるように、変圧器タンク２０１の底板２ｆに取り付けられた各二次ブッシングに後端部が接続された複数の接続導体の内、二次ケーブル９にヒューズを介して接続する必要がある二次ブッシングに対応する各接続導体の先端部には、板面を外箱の前面側開口部の横方向（図１及び図２の左右方向）に向けた状態で下方に突出した板状の第１のヒューズ接続部７Ａが設けられている。図示の例では、各接続導体を構成する帯板状導体の先端部の下面に断面が逆Ｌ字形を呈する導電部材７０１が接合され、各接続導体の幅方向の一端側から下方に延びる導電部材７０１の板状部により第１のヒューズ接続部７Ａが構成されている。
【００２９】
本発明においてはまた、第１のヒューズ接続部７Ａが設けられた各接続導体の下方に、各接続導体に対応する接続金具１０が設けられている。各接続金具１０は、対応する接続導体に設けられた第１のヒューズ接続部７Ａと対をなす第２のヒューズ接続部１０Ａと、対応する二次ケーブル９の端末部を構成する端子金具９ａが接続されるケーブル接続部１０Ｂとを一体に有していて、第２のヒューズ接続部１０Ａを対応する第１のヒューズ接続部７Ａの下方に位置させ、かつケーブル接続部１０Ｂを第２のヒューズ接続部１０Ａよりも機器収容空間３の奥側（図４において右側）に位置させた状態で配置されている。
図示の例では、各接続金具１０のケーブル接続部１０Ｂが長手方向を上下方向に向けた帯板状の導電部材からなっていて、その上端には外箱の前面側に直角に折れ曲がった折り曲げ部１０B1が形成されている。ケーブル接続部１０Ｂは、その板面を機器収容空間の奥行き方向に向けた状態で配置されている。
【００３０】
また各接続金具１０の第２のヒューズ接続部１０Ａは、各接続金具の帯板状のケーブル接続部１０Ｂの幅方向の一端から対応する第１のヒューズ接続部７Ａの下方に突出した板状の突出部からなっていて、その板面を対応する第１のヒューズ接続部７Ａの板面と同方向に向けた状態で設けられている。各接続金具１０は、所定の形状に打ち抜いた導電板を折り曲げることにより形成されている。
【００３１】
接続導体の先端部に設けられた第１のヒューズ接続部７Ａ、及び接続金具に設けられた第２のヒューズ接続部１０Ａのそれぞれには上下に並ぶ２個のネジ孔が形成されていて、ヒューズ１５（図１及び図４参照）の一端側の端子１５Ａ及び他端側の端子１５Ｂがそれぞれ対をなす第１のヒューズ接続部７Ａ及び第２のヒューズ接続部１０Ａにボルト１６で結合されるようになっている。
【００３２】
図示のフレーム１１は金属板からなっていて、接続金具１０よりも機器収容空間３の奥側の位置に外箱の前面板１ｅと平行に配置されて、その下端がベースフレーム１ａに固定されている。フレーム１１の上端寄りの部分には接続導体（７ｕ〜７ｗ）及び（７a1，７n1，７b1）ないし（７a3，７n3，７b3）を貫通させるための窓部１１ａが形成されている。
【００３３】
図４に示したように、各接続金具１０のケーブル接続部１０Ｂの下端寄りの部分の背面側には、支持金具２５が絶縁物１７を介してネジ止めされ、支持金具２５がフレーム１１にネジ止めされることにより各接続金具１０がフレーム１１に固定されている。
また各接続金具１０のケーブル接続部１０Ｂの上端に形成された折り曲げ部１０B1が絶縁スペーサ１８を介して対応する接続導体に当接されて、各ケーブル接続部の上端の折り曲げ部１０B1とスペーサ１８と対応する接続導体とを貫通したボルト１９と、該ボルトに螺合されたナット２０とにより各接続金具のケーブル接続部の上端が対応する接続導体に締結されている。ボルト１９及びナット２０は絶縁材料からなっている。
【００３４】
即ち、各接続金具１０のケーブル接続部１０Ｂは、外箱１に対して固定されたフレーム１１に絶縁物を介して支持されるとともに、その上端部が対応する接続導体の先端部に絶縁スペーサを介して締結されている。
【００３５】
各接続金具１０のケーブル接続部１０Ｂには、上下に並ぶネジ孔が形成されていて、外箱１の下方に形成された地下溝から立ち上げられた二次ケーブル（負荷ケーブル）９の端末部を構成する端子金具９ａが各ケーブル接続部１０Ｂにボルト２１により締結されている。負荷ケーブルの端子金具９ａとケーブル接続部１０Ｂとの間の導通を確実にするため、端子金具９ａとケーブル接続部１０Ｂとの間には、締め付けられた際に端子金具９Ａ及びケーブル接続部１０Ｂに食い込む多数の突起を備えた導電材料からなるスぺーサ２２が挿入されている。
【００３６】
複数の接続導体の内、二次ケーブルにヒューズを介することなく接続される接続導体７n1，７n2及び７n3は、それぞれの先端部から折れ曲がって下方に延びる折り曲げ部７０２（図５参照）を一体に有していて、該折り曲げ部７０２に直接二次ケーブル９の端末部を構成する端子金具９ａがボルト２１により締結されている。
【００３７】
接続導体７n1，７n2及び７n3のそれぞれの先端の折り曲げ部７０２の背面には、接続金具１０のケーブル接続部１０Ｂに取り付けられたものと同様の支持金具２５が絶縁物１７を介して取りつけられていて、支持金具２５がフレーム１１に締結されることにより、接続導体７n1，７n2及び７n3の先端部がフレーム１１に固定されている。
なお図４及び図５において、２３は、各二次ケーブル９を端子金具９ａに近い位置で絶縁被覆の上から押さえてベースフレーム１ａに固定された支持板２４に対して固定するケーブル押さえである。
【００３８】
変圧器タンク２０１の底板２ｆの下方の機器収容空間３には、コンサベータ３０（図４及び図５参照）が配置されている。図示のコンサベータ３０は、変形自在な隔膜３０ａにより仕切られた油室３０Ａと空気室３０Ｂとを有する隔膜式のコンサベータで、その油室３０Ａは、接続管３１を通して変圧器タンク２０１の上部に接続されている。空気室３０Ｂは外気に開放されている。
【００３９】
変圧器２の左側の側面の側方に形成された外箱１内のスペースは、一次側機器収容スペース３３となっており、このスペース３３に臨む変圧器タンク２０１の側面の下半部には、箱形の一次側ヒューズ収納部２０１ａが、該スペース３３側に突出した状態で一体に形成されている。また一次側機器収容スペース３３内の上部に箱形のケース３５が配置され、このケース３５の下端が一次側ヒューズ収納部２０１ａの上端に油密に接続されている。一次側ヒューズ収納部２０１ａ内には、３相の一次側ヒューズ３７ｕ〜３７ｗが、変圧器タンク２０１の奥行き方向に並べた状態で配置されている。またヒューズ収納部２０１ａ内の上部には、ケース３５と一次側ヒューズ収納部２０１ａとの間を隔てる隔壁部を油密に貫通した状態で取り付けられた３相の一次ブッシング５ｕ〜５ｗが配置されている。
【００４０】
ケース３５内には、３相の開閉器と、一次ケーブル引き込み用の３相のケーブルコネクタ（いずれも図示せず。）とが収容され、ケース３５内に配置された３相のケーブルコネクタに地下溝から立ち上げられた３相の一次側ケーブル３６ｕないし３６ｗの端末部が接続されている。一次側ケーブル３６ｕ〜３６ｗの端末部が接続された３相のケーブルコネクタの端子はそれぞれ、ケース３５内に設けられた３相の開閉器と、一次ブッシング５ｕ〜５ｗの貫通導体とを通して一次側ヒューズ３７ｕ〜３７ｗの一端に接続され、これらの一次側ヒューズの他端がそれぞれ変圧器本体の３相の一次側端子に接続されている。即ち、３相の一次側ケーブル３６ｕ〜３６ｗは、ケース３５内に配置された３相の開閉器と一次側ブッシング５ｕ〜５ｗと３相の一次側ヒューズ３７ｕ〜３７ｗとを通して変圧器本体の３相の一次側端子に接続されている。
【００４１】
なお変圧器タンク２０１の側面には放熱器などの機器が取り付けられているが、変圧器タンクの側面に取り付けられた放熱器などの機器の図示は省略されている。
【００４２】
上記の実施形態では、ヒューズを介することなく二次ケーブルに接続される接続導体７n1ないし７n3の先端部にケーブル接続部を設けて、接続導体の先端部に二次ケーブルを直接接続するようにしているが、二次ケーブルにヒューズを介することなく接続される接続導体の先端部に上記第１のヒューズ接続部と同様の接続部を設けるとともに、該接続導体の先端部の下方に上記第２のヒューズ接続部と同様の接続部とケーブル接続部とを有する接続金具を配置して、接続導体側の接続部と接続金具側の接続部との間を短絡導体により短絡するようにしてもよい。
【図面の簡単な説明】
【００４３】
【図１】本発明の実施形態の外箱の前面の板を外してその内部の構造を概略的に示した正面図である。
【図２】本実施形態において、変圧器タンクの下方に形成された機器収容空間に配置される二次側付属機器の構成をヒューズを外した状態で示した正面図である。
【図３】本発明の実施形態において用いる変圧器タンクの底面図である。
【図４】図１のＩＶ−ＩＶ線断面図である。
【図５】図１のＶ−Ｖ線断面図である。
【符号の説明】
【００４４】
１  外箱
２  変圧器
２０１  変圧器タンク
６ｕ〜６ｗ  二次ブッシング
６a1，６n1，６b1   二次ブッシング
６a3，６n3，６b3   二次ブッシング
７ｕ〜７ｗ   接続導体
７a1，７n1，７b1  接続導体
７a3，７n3，７b3  接続導体
７Ａ  第１のヒューズ接続部
９  二次ケーブル
１０  接続金具
１０Ａ  第２のヒューズ接続部
１０Ｂ  ケーブル接続部
１５  ヒューズ
【図１】
2005286012.tif 000003
【図２】
2005286012.tif 000004
【図３】
2005286012.tif 000005
【図４】
2005286012.tif 000006
【図５】
2005286012.tif 000007